(57)【特許請求の範囲】
【請求項１】
被験者の顔画像の頬領域について輝度の階調画像を得、該階調画像の輝度を２５６階調とした場合に、階調画像の最高輝度の階調を含む高輝度領域であって、該最高輝度の階調の２０階調下から高階調側の高輝度領域と、高輝度領域よりも輝度の低い中輝度領域であって、前記最高輝度の階調の４０階調下から高階調側の中輝度領域を抽出し、高輝度領域と中輝度領域の輝度等高線を、前記顔画像の頬領域に付加し、
高輝度領域と中輝度領域の面積比及び次式により算出する中輝度領域の周囲長比のいずれか一つ以上の項目を併せて表示した表示物。
【数１】
0005516772.tif 000010
【請求項２】
評価者の官能評価によるハリ感スコアを併せて表示した請求項１記載の表示物。
【発明の詳細な説明】
【技術分野】
【０００１】
本発明は、美容上のハリ感の評価方法に関する。
【背景技術】
【０００２】
美容上のハリ感は、皮膚を押圧又は吸引して計測される弾力性とは異なり、見た目の印象としてのハリ感であり、キメ、しわ、小じわ、たるみ、毛穴、肌の色、色ムラ、顔の外形等が影響する。一般に、キメが細かく、小じわや毛穴の目立たない滑らかな肌で、色ムラがなく、外形がふっくらとしており、平坦部分が広い場合に、ハリ感があると評価される。また、ファンデーションを塗布すると、小じわ、毛穴、色むら等をある程度隠蔽することができ、ハリ感を向上させることができる。
【０００３】
従来、ハリ感が客観的に評価されることはなく、専門評価者や化粧品の販売員等が、特定の化粧料の使用効果、肌の手入れ方法の実施効果等を顧客に説明する場合にも、主観的な評価が顧客に告げられている。
【０００４】
これに対し、複数人の顔画像を年代毎に平均化した仮想顔を所定階調で表して明度等高線を求め、特定の明度領域の面積に基づいて、ファンデーションの塗布による見た目のたるみ改善効果を評価する方法が提案されている（特許文献１）。
【先行技術文献】
【特許文献】
【０００５】
【特許文献１】特開２００５−２３７４０９号公報
【発明の概要】
【発明が解決しようとする課題】
【０００６】
個々の顔画像の明度分布には、顔の形状や色が強く反映されるところ、複数人の顔画像を平均化する特許文献１の方法によれば、ある年代の平均的なたるみ度合いや、ある年代におけるファンデーションの一般的なたるみ改善効果を客観的に評価することはできる。しかしながら、個々の被験者のたるみ度合いや美容上のハリ感を評価することができない。見た目の印象としての美容上のハリ感には、被験者毎の顔立ち等の特徴や、評価者の感覚的なばらつきが影響するため、専門の評価者でなければ一定の評価を得ることは容易ではない。
【０００７】
これに対し、本発明は、個々の被験者について、見た目の印象としての美容上のハリ感を、客観的に、かつ専門の評価者によるハリ感の評価と整合するように精度よく評価することを目的とする。
【課題を解決するための手段】
【０００８】
本発明者は、一般に、顔画像の頬には中輝度ないし高輝度領域が現れ、その広さや形状が、専門評価者が評価するハリ感の評価に対応することを見出した。
【０００９】
即ち、本発明は、被験者の顔画像の頬領域について、輝度の階調画像を得、所定階調領域の面積又は形状に基づいて被験者の美容上のハリ感を評価するハリ感評価方法を提供し、その具体的な第１の態様として、被験者の顔画像の頬領域について、高輝度領域と中輝度領域の面積比を算出し、その面積比に基づいて被験者の美容上のハリ感を評価するハリ感評価方法を提供する。
【００１０】
また、第２の態様として、被験者の顔画像の頬領域について、中輝度領域の周囲長比を次式により算出し、周囲長比に基づいて被験者の美容上のハリ感を評価するハリ感評価方法を提供する。
【００１１】
【数１】
0005516772.tif 000002
【発明の効果】
【００１２】
本発明のハリ感評価方法によれば、各被験者の美容上のハリ感を、各被験者毎の顔立ち等の特徴や評価者の感覚のばらつきによらず、客観的に、かつ専門評価者によるハリ感の評価と整合するように精度よく、再現性高く評価することが可能となる。そのため、被験者相互のハリ感を対比したり、各被験者のハリ感の経時的変化を評価することが可能となり、また、ファンデーション等の化粧料がハリ感に及ぼす影響を正確に評価することも可能となる。
【図面の簡単な説明】
【００１３】
【図１】本発明の方法の流れ図である。
【図２】高輝度領域と中輝度領域の抽出方法の説明図である。
【図３】周囲長の説明図である。
【図４】包絡周囲長の説明図である。
【図５】高輝度領域と中輝度領域の輝度等高線を付加した顔画像である。
【発明を実施するための形態】
【００１４】
以下、図面を参照しつつ本発明を詳細に説明する。
【００１５】
本発明のハリ感評価方法は、被験者の美容上のハリ感を評価する方法である。図１は、このハリ感評価方法の流れ図である。この方法では、まず、被験者の顔画像を取得する。ここで、被験者は、必要に応じて素顔でも化粧顔でもよい。即ち、素顔のハリ感を評価する場合には、被験者の素顔の顔画像を取得し、ファンデーション等の化粧料の塗布効果を評価する場合には、その化粧料を塗布した被験者の顔画像を取得する。
【００１６】
顔画像の取得には、画像処理の点から、解像度２００万画素以上のデジタルカメラを使用することが好ましい。また、照明、カメラの絞り、シャッタースピード、撮影距離、顔の向き等の撮影条件は、得られる顔画像の輝度分布に大きく影響することから、撮影条件は一定にすることが好ましく、例えば、特開２００４−２５１７５０号公報に記載されている照明装置を用い、その照明光源として蛍光灯を上・左・右の３方向から使用し、被験者から距離１ｍの位置で被験者の正面顔を撮る。
【００１７】
次に、顔画像の輝度を所定の階調数、例えば２５６階調にグレースケール化し、取得した顔画像から頬領域を切り取り、以降の画像処理の対象とする。なお、グレースケール化には画像処理ソフト(adobe社、photoshop)のグレースケール化コマンドによる処理が好ましいが、その他一般的に行われているグレースケール化のいずれを使っても構わない。
【００１８】
ハリ感の評価対象領域に関し、一般に、人は、頬領域を見てハリ感を評価する。したがって、本発明においても頬領域を切り取って評価対象とする。これにより、全顔を評価対象とする場合に比して、ハリ感の評価精度を高めることが可能となり、また、計算速度を速めることも可能となる。
【００１９】
頬領域の切り取り方は、各被験者に対して、ハリ感の評価手法を画一化するため一定とする。例えば、図１（ａ）のように、目の直下を通る水平線、唇の上下方向の中央を通る水平線、目頭横を通る垂直線、フェイスラインを通る垂直線で囲まれた領域とする。
【００２０】
次に、切り取った頬領域画像において、頬領域の最高輝度の階調から所定範囲下の階調までを高輝度領域とし、さらにその下の所定範囲の階調を中輝度領域として抽出する。例えば顔画像の輝度を２５６階調にグレースケール化した場合、図２に示す輝度ヒストグラムのように、頬領域の最高輝度の階調から２０階調下までを高輝度領域とし、高輝度領域よりも輝度が低く最高輝度の階調から４０階調下までを中輝度領域として抽出する。そして、高輝度領域と中輝度領域の面積比を算出する（図１（e））。
【００２１】
こうして算出される高輝度領域と中輝度領域の面積比は、顔画像の頬領域について、肌の色等の個人差や、撮影条件の影響を排除したハリ感の評価値となる。したがってこの面積比に基づき、ハリ感を客観的に精度よく評価することが可能となり、この面積比が大きい程ハリ感が高く、小さいほどハリ感が低い。
【００２２】
本発明において、ハリ感は、頬部における高輝度領域と中輝度領域の面積の他、形状に基づいても評価することができる。より具体的には、輝度等高線の輪郭の滑らかさに基づいて評価する。滑らかさの指標としては、例えば、上述の中輝度領域の輝度等高線について、次式により算出される周囲長比を使用することができる。
【００２３】
【数２】
0005516772.tif 000003
【００２４】
ここで、周囲長は、図３に示すように、中輝度領域の輝度等高線の実際の長さであり、包絡周囲長は、図４に示すように、中輝度領域の輝度等高線包絡線の長さである。周囲長比は１以下の数値であり、１に近いほど輪郭が滑らかである。
【００２５】
輝度等高線の滑らかさの指標としては、次式により算出される真円度を使用してもよい。
【００２６】
【数３】
0005516772.tif 000004
【００２７】
真円度は１以上の数値であり、１に近いほど円に近く輪郭が滑らかである。
【００２８】
かかる周囲長や包絡周囲長は画像解析ソフト（MediaCybernetics社、Image-pro plus）で求めることができるが、同様な機能がついていれば、どのようなソフトを用いても構わない。
【００２９】
ハリ感の評価は、こうして得られた高輝度領域と中輝度領域の面積比と、中輝度領域の周囲長比又は真円度とを次のように併せて用いることにより、いっそう精度よく得ることができる。例えば、２人の被験者の肌の高輝度領域と中輝度領域の面積比が同程度の場合、周囲長比又は真円度が１に近い方の肌がハリ感が高く、また、高輝度領域と中輝度領域の面積比が同程度でかつ周囲長比も同程度の場合、真円度が１に近い方の肌がハリ感が高い。
【００３０】
また、ハリ感の評価結果をわかりやすく提示するため、図５に示すように、高輝度領域と中輝度領域の輝度等高線を、顔画像の頬領域に付加した表示物を作成することが好ましい。高輝度領域や中輝度領域の輝度等高線は、画像を所定階調にグレースケール化して求めるが、輝度等高線を付加する画像は、グレースケール画像でも、その元のカラー画像でもよい。輝度等高線を画像に付加することにより、実際の見え方における高輝度領域と中輝度領域を明瞭に認識することができる。
【００３１】
この表示物には、高輝度領域と中輝度領域の面積比又は中輝度領域の周囲長比の一方又は双方を併記してもよく、さらに真円度を併記してもよい。また、ハリ感スコアを併記してもよい。ここでハリ感スコアとしては、専門の評価者の複数人が所定の基準にしたがって官能評価したスコア値の平均値を使用することが好ましい。
【実施例】
【００３２】
実施例１（ハリ感の個人差）
年齢２０歳から４６歳の女性７名をモニターとし、その正面顔画像を撮る（撮影条件：特開２００４−２５１７５０号公報に記載の照明装置を用いて、照明光源として蛍光灯を上・左・右の３方向から使用し、被験者から距離１ｍの位置で被験者の正面顔を撮る。）。
【００３３】
続いて、画像解析ソフト(adobe社、photoshop)を用いて２５６階調にグレースケール化し、図１（ａ）のように頬領域を選択し、この頬領域において画像解析ソフト（MediaCybernetics社、Image-pro plus）を用いて、高輝度領域（顔画像の最高輝度階調から２０階調下まで）と中輝度領域（顔画像の高輝度領域よりも輝度が低く、最高輝度階調から４０階調下まで）を抽出し、それらの面積比を求めた。
【００３４】
また、頬領域において最高輝度階調から４０階調めの輝度等高線の周囲長比〔＝（包絡周囲長）／（周囲長）〕を求めた。
【００３５】
一方、各モニターのハリ感を、専門パネラー５名が目視により、ハリ感が高いを５点、やや高いを４点、普通を３点、やや低いを２点、低いを１点とする５段階に評価し、５名専門パネラーの評価結果の平均を求めた。これらの結果を表１に示す。
【００３６】
【表１】
0005516772.tif 000005
【００３７】
表１から、高輝度領域と中輝度領域の面積比は、専門パネラーによるハリ感の評価値と相関性の高いことがわかり、この条件下では、０．２以上でハリ感が高く、０．２未満ではハリ感が低いと評価されることがわかる。
【００３８】
輝度等高線の周囲長比も、専門パネラーによるハリ感の評価値と相関性の高いことがわかり、この条件下では、０．８以上でハリ感が高く、０．８未満ではハリ感が低いと評価されることがわかる。
【００３９】
さらに、高輝度領域と中輝度領域の面積比が略同一で周囲長比が違う女性モニター（２５歳、３５歳）２名の素肌のハリ感スコアを比べた結果、表２のように異なる結果となった。よって、面積比と周囲長比の２つを用いることによってハリ感をより正確に評価できることがわかる。
【００４０】
【表２】
0005516772.tif 000006
【００４１】
実施例２（ファンデーションの塗布によるハリ感の変化）
年齢（３０〜３４歳）の女性３名をモニターとし、各モニターが市販のファンデーションを塗布した前後の正面顔画像を撮り（撮影条件：特開２００４−２５１７５０号公報に記載の照明装置を用いて、照明光源として蛍光灯を上・左・右の３方向から使用し、被験者から距離１．５ｍの位置で被験者の正面顔を撮影）、実施例１と同様にして高輝度領域と中輝度領域の面積比を求めた。また、各モニターのファンデーションの塗布の前後のハリ感を専門パネラー５名により実施例１と同様に求めた。結果を表３に示す。
【００４２】
【表３】
0005516772.tif 000007
【００４３】
表３から、いずれのモニターにおいても、ファンデーションの塗布によりハリ感が改善されていることがわかる。
【００４４】
実施例３（ファンデーションの違いによるハリ感の差）
（１）ファンデーションの調製
表４に示す組成に従って、次のように２種のクリーム状ファンデーションａ，ｂを調製した。
【００４５】
７０℃に加熱した油相成分（(1)〜(6)）と粉体成分（(11)〜(18)）を、ディスパー（２０００rpm、１５分）で攪拌し、均一にした。次に、７０℃で均一に溶解させた水相成分（(7)〜(10)）を添加することにより、乳化させ、その後、攪拌しながら室温まで冷却し、最後にホモミキサー（５０００rpm、１０分）で攪拌して、クリーム状ファンデーションを得た。
【００４６】
（２）評価
２種のクリーム状ファンデーションａ、ｂをそれぞれ、モニター１名（３９歳）が塗布した場合の正面顔画像を実施例１と同様の撮影条件で撮り、実施例１と同様にして高輝度領域と中輝度領域の面積比を求めた。
【００４７】
また、ファンデーションを塗布したモニターのハリ感を専門評価者１４名が実施例１と同様に５段階に評価し、その評価結果の平均を求めた。結果を表５に示す。
【００４８】
【表４】
0005516772.tif 000008
＊１：TOSPEAL 145A（GE東芝シリコーン社製）、
＊２：Timiron Super Silk MP-1005（Merk社製）、
＊３：Prestige Bright Gold（ECKART社製）
【００４９】
【表５】
0005516772.tif 000009
【００５０】
表５から、本発明の方法によればファンデーションの違いによるハリ感の相違を、専門
パネラーによる評価と同様に評価できることがわかる。
【産業上の利用可能性】
【００５１】
本発明の方法は、化粧品や、メイク方法、マッサージ方法等の美容方法の開発、顧客へ
のアドバイス、提案、推奨、販売において、ハリ感を評価する手法として有用である。
【図２】
0005516772.tif 000011
【図５】
0005516772.tif 000012
【図１】
0005516772.tif 000013
【図３】
0005516772.tif 000014
【図４】
0005516772.tif 000015